(57)【特許請求の範囲】
【請求項１】
中央部に取付け孔を有し透光カバーを搭載した照明器具本体、並びに前記取付け孔に配置して前記照明器具本体を天井に取り付けるための取付けアダプタを有する照明器具の包装装置において、
中央部に係止孔を有する板状の底板と、
前記照明器具本体を支持するため先端部に開口部を形成した凸状の支持部および前記支持部の周囲に形成された周辺部を有し、前記支持部が前記底板の係止孔を貫通し、前記周辺部が前記係止孔の周りに係止される本体取り付け台とを備え、
前記取付けアダプタは出入り可能な二段の爪を当該取付けアダプタの側面対向部にそれぞれ有し、前記照明器具本体の取付け孔の周縁部に形成されたフランジ部と前記本体取り付け台の支持部の開口部の周縁部に形成されたフランジ部とが合わせられ、前記取付け孔に配置された前記取付けアダプタの二段の爪の間に前記両フランジ部を挟み、前記底板、前記本体取り付け台、並びに前記透光カバーを搭載した照明器具本体を外装箱内に収納したこと、および前記本体取り付け台の前記フランジ部の前記取付けアダプタの爪との接触側の一部に、前記爪を前記取付けアダプタの側面側に移動させるリブを備えたことを特徴とする照明器具の包装装置。
【請求項２】
前記本体取り付け台の周辺部が突起部を有し、前記底板に前記突起部を通す装着孔を有することを特徴とする請求項１に記載の照明器具の包装装置。
【請求項３】
前記照明器具本体の側部に前記底板から前記外装箱内の対応面に至る側板を設けたことを特徴とする請求項１または２に記載の照明器具の包装装置。
【請求項４】
前記側板が前記底板を折り曲げることにより形成されることを特徴とする請求項３に記載の照明器具の包装装置。
【請求項５】
前記取付けアダプタの二段の爪が、高さの異なる角型引掛けシーリングおよび埋め込みローゼットの両者に対応できる寸法で設けられることを特徴とする請求項１〜４のいずれか１項に記載の照明器具の包装装置。
【発明の詳細な説明】
【技術分野】
【０００１】
本発明は照明器具の包装装置に関するものである。
【背景技術】
【０００２】
従来の照明器具の包装形態は、運送中や荷扱い時に外装箱内で器具が移動しないように、また破損が生じないように、多種の梱包補助材を用いて照明器具の移動や破損を防いでいた。これらの梱包補助材を減らし、これにより材料コストを低減し、さらに組立作業性を向上するためにいくつかの提案がなされている。
【０００３】
例えば、特許文献１には、包装箱の内底面上に設置した固定具の下端を包装箱の内底面上に設置した底板の孔に装着し、固定具の上部を照明器具本体の孔に通して照明器具本体を位置決めする構成において、固定具の上端付近に抜け止め具を装着した照明器具包装装置が開示されている。
【０００４】
また、特許文献２には、包装箱内に収納可能な平板状をなし、かつ一部に抜き穴が形成された位置決め緩衝材、および抜き穴内に嵌合して位置決め緩衝材の上面側に突出した筒状の本体押えを備え、器具本体のシャーシには本体押えの上部に嵌合可能な嵌合部が形成され、位置決め緩衝材の上に照明器具を配置してシャーシの嵌合部が本体押えの上部に嵌合し、この状態で位置決め緩衝材と共に照明器具が包装箱内に収納される照明器具の包装装置が開示されている。
【先行技術文献】
【特許文献】
【０００５】
【特許文献１】特開２００２−９６８７３号公報
【特許文献２】特開平１１−３４２９７６号公報
【発明の概要】
【発明が解決しようとする課題】
【０００６】
特許文献１に示す包装装置では、上述のように固定具の上端付近に装着する抜け止め具を必要とし、梱包補助材の低減は十分でない。また、特許文献１に示す包装装置では、照明器具本体を天井に取り付ける際の取り付けアダプタは別体として梱包する必要がある。また、特許文献２に示す包装装置では、運送中の照明器具の移動を確実に防止するために、例えば器具本体及び本体押えの双方に嵌合部材等の包装補助部材を設けることが望まれる。
【０００７】
本発明の目的は、従来のものに比べ包装補助部材を減らし包装作業を軽減できる照明器具の包装装置を提供するものである。
【課題を解決するための手段】
【０００８】
本発明は、上記目的を達成するため以下のような照明器具の包装装置を提供する。
（１）中央部に取付け孔を有し透光カバーを搭載した照明器具本体、並びに前記取付け孔に配置して前記照明器具本体を天井に取り付けるための取付けアダプタを有する照明器具の包装装置において、
中央部に係止孔を有する板状の底板と、
前記照明器具本体を支持するため先端部に開口部を形成した凸状の支持部および前記支持部の周囲に形成された周辺部を有し、前記支持部が前記底板の係止孔を貫通し、前記周辺部が前記係止孔の周りに係止される本体取り付け台とを備え、
前記取付けアダプタは出入り可能な二段の爪を当該取付けアダプタの側面対向部にそれぞれ有し、前記照明器具本体の取付け孔の周縁部に形成されたフランジ部と前記本体取り付け台の支持部の開口部の周縁部に形成されたフランジ部とが合わせられ、前記取付け孔に配置された前記取付けアダプタの二段の爪の間に前記両フランジ部を挟み、前記底板、前記本体取り付け台、並びに前記透光カバーを搭載した照明器具本体を外装箱内に収納したことを特徴とする照明器具の包装装置。
（２）前記本体取り付け台の周辺部が突起部を有し、前記底板に前記突起部を通す装着孔を有することを特徴とする上記（１）に記載の照明器具の包装装置。
（３）前記本体取り付け台の前記フランジ部の前記取付けアダプタの爪との接触側の一部に、前記爪を前記取付けアダプタの側面側に移動させるリブを備えたことを特徴とする上記（１）または（２）に記載の照明器具の包装装置。
（４）前記照明器具本体の側部に前記底板から前記外装箱内の対応面に至る側板を設けたことを特徴とする上記（１）〜（３）のいずれか１項に記載の照明器具の包装装置。
（５）前記側板が前記底板を折り曲げることにより形成されることを特徴とする上記（４）に記載の照明器具の包装装置。
（６）前記取付けアダプタの二段の爪が、高さの異なる角型引掛けシーリングおよび埋め込みローゼットの両者に対応できる寸法で設けられることを特徴とする上記（１）〜（５）のいずれか１項に記載の照明器具の包装装置。
【発明の効果】
【０００９】
請求項１に係る発明によれば、従来のものに比べ包装補助部材を減らし包装作業を軽減できる照明器具の包装装置を得ることができる。
請求項２に係る発明によれば、本構成を有しないものに比べ、底板に対して本体取り付け台を安定に装着することができる。
請求項３に係る発明によれば、本構成を有しないものに比べ、照明器具本体の取付け孔から取付けアダプタを容易に取り外すことができる。
請求項４に係る発明によれば、本構成を有しないものに比べ、照明器具本体の上下方向の移動防止を確実にすることができる。
請求項５に係る発明によれば、本構成を有しないものに比べ、包装装置の組立作業性を向上することができる。
請求項６に係る発明によれば、角型引掛けシーリングおよび埋め込みローゼットの両者に対応できる既存の取付けアダプタを利用することができる。
【図面の簡単な説明】
【００１０】
【図１】本発明に係る照明器具の包装装置の一実施例を示す分解斜視図である。
【図２】本発明に係る照明器具の包装装置の一実施例を示す一部断面図である。
【図３】本体取り付け台の一例を示す裏面図である。
【発明を実施するための形態】
【００１１】
図１は、本発明に係る照明器具の包装装置の一実施例を示す分解斜視図である。図示のように、照明器具本体２０は中央部に、ほぼ円柱状の取付けアダプタ１０を配置するための円形状の取付け孔２１を有する。照明器具本体２０にはランプ２３が搭載され、さらにランプ２３を覆う透光カバー３０が搭載される。また、取付け孔２１のランプ２３側とは反対側の周縁部に円形状のフランジ部２２が形成されている。
【００１２】
取付けアダプタ１０は、照明器具本体２０を天井のシーリングやローゼットに接続するためのものである。本例の取付けアダプタ１０は、つまみ１２の操作により取付けアダプタ１０の内外に出入り可能な二段の爪１１をその側面対向部にそれぞれ有している。この二段の爪１１は、高さの異なる角型引掛けシーリングおよび埋め込みローゼットの両者に対応できる寸法で設けられている。取付けアダプタ１０のつまみ１２の設置側と反対側には電気接続用の端子（図示しない）を備える。
【００１３】
照明器具本体２０が置かれる板状の底板５０は、中央部に係止孔５１を有する。一方、照明器具本体２０を取り付ける本体取り付け台６０は、図示のように、先端部に円形状の開口部６３を形成した照明器具本体を支持するための凸状の支持部６２と、支持部６２の周囲に形成された周辺部６１とを有する。本体取付け台６０を底板５０に取り付けた場合、支持部６２は、底板５０の係止孔５１を貫通し、周辺部６１は係止孔５１の周りに係止される。開口部６３の周縁部には円形状のフランジ部６４が形成されている。照明器具本体２０の取付け孔２１のフランジ部２２および本体取り付け台６０の開口部６３のフランジ部６４は、互いに大きさが合うように寸法付けされる。
【００１４】
また、本体取り付け台６０の周辺部６１には突起部６５を設けることができる。本例の突起部は４つであるが、その数は限定されない。底板５０は、本体取り付け台６０の突起部６５に対応する部分に突起部を通す装着孔５２を有する。底板５０の係止孔５１の形状と凸状の支持部６２の断面形状を合わせることで、突起部および装着孔は省略可能である。
【００１５】
照明器具本体２０の側部には、底板５０から外装箱４０内の対応面に至る側板４５が設けられる。側板４５は照明器具本体２０の周囲全部に設けることができるが、これに限定されず、周囲の一部に設けることでもよい。また、側板４５は底板５０と別部材とすることができるが、これに限定されず、底板５０を折り曲げることにより形成してもよい。なお、底板５０の寸法は、外装箱４０内の底面の寸法に合わせることが好ましい。これにより、外装箱４０内で照明器具本体２０を動かないようにすることができる。
【００１６】
以下、照明器具本体２０を外装箱４０内に収納する手順の一例を説明する。まず、本体取り付け台６０の支持部６２を底板５０の係止孔５１に通し、かつ本体取り付け台６０の周辺部６１の突起部６５を底板５０の装着孔５２に通す。これにより本体取り付け台６０が底板５０に装着される。続いて、本体取り付け台６０の支持部６２に、ランプ２３を搭載した照明器具本体２０を載せる。このとき、照明器具本体２０の取付け孔２１のフランジ部２２と本体取り付け台６０の開口部６３のフランジ部６４とが合わせられる。次に、取付けアダプタ１０を取付け孔２１に配置し、取付けアダプタ１０の二段の爪１１で両フランジ部２２，６４をその間に挟む。これにより照明器具本体２０が本体取り付け台６０に接続される。その後、透光カバー３０を照明器具本体２０に搭載し、側板４５を照明器具本体２０の周囲に配置する。この状態で、底板５０を持ち上げて本体取り付け台６０、並びにランプ２３および透光カバー３０を搭載した照明器具本体２０を外装箱４０内に収納し、蓋４１で外装箱４０を閉じる。そして、必要に応じて蓋４１の縁を粘着テープで止める。
【００１７】
外装箱４０、蓋４１、側板４５および底板５０は、例えば段ボールで形成することができるが、これに限定されず、厚紙やプラスチック製の板でもよい。本体取り付け台６０は、例えばプラスチックの成型品とすることができるが、これに限定されず、紙材を圧縮して形成してもよい。プラスチックで形成したものの方がダンボールで形成したものよりも強度が強く、ダンボールで形成したものの方がプラスチックで形成したものよりも安価で形成できる。本実施例においては底板５０は照明器具本体２０の全体を覆うためにダンボールで形成され、本体取付け台６０は照明器具本体２０の取り付けのために強度が強いプラスチックの成型品を用いている。また、本実施例においては底板５０と本体取付け台６０を別部材として形成しているが、これに限定されず、一部材となるように形成しても良い。一部材となるように形成すると別部材のものに比べてより包装補助部材を減らすことが出来る。
【００１８】
図２は、本発明に係る照明器具の包装装置の一実施例を示す一部断面図である。図示のように、外装箱４０内にランプ２３および透光カバー３０を搭載した照明器具本体２０が収納されている。照明器具本体２０は、本体取り付け台６０の支持部６２に載せられている。照明器具本体２０の取付け孔周縁部のフランジ部２２と本体取り付け台６０の開口部周縁部のフランジ部６４とは互いに同径で重ねられている。両フランジ部２２，６４は、取付けアダプタ１０の二段の爪１１の間に挟まれている。これにより照明器具本体２０が本体取り付け台６０に接続される。本体取り付け台６０は、係止孔を介して底板５０に接続されている。底板５０の寸法は、外装箱４０内の底面の寸法と同等にすることで、底板５０の前後左右方向の移動を抑えることができる。また、側板４５を底板５０から外装箱４０内の上面に至る寸法とすることで、底板５０の上下方向の移動も抑えることができる。
【００１９】
図３は、本体取り付け台６０の一例を示す裏面図である。本図でリブ６６を説明する。リブ６６は凸状で、フランジ部６４の取付けアダプタの爪１１との接触側の一部に設けられる。照明器具本体２０の取付け孔２１から取付けアダプタ１０を取り外す場合、取付け孔２１中で取付けアダプタ１０を回す動作を行うが、このとき爪１１が凸状リブ６６に乗り上がると、爪１１が取付けアダプタの側面側に移動するため、取付けアダプタ１０を取り外しやすくなる。本例ではリブ６６を２つ設けているが、これに限定されず、１つでもいいし、３つ以上でもよい。
【００２０】
以上のように、本発明は、照明器具本体を天井に接続するための取付けアダプタを用いて照明器具を包装部材と接続させて外装箱内に配置し、照明器具の移動や破損を防ぐものである。このように、器具取付け時に用いる取付けアダプタを梱包部材として流用できるので、梱包補助部材の数を低減することができる。また、取付けアダプタの収納箇所を別途用意することなく取付けアダプタを照明器具本体の取付け孔に固定でき、簡易に且つ低コストで照明器具を梱包することができる。
【符号の説明】
【００２１】
１０  取付けアダプタ
１１  爪
１２  つまみ
２０  照明器具本体
２１  取付け孔
２２  フランジ部
２３  ランプ
３０  透光カバー
４０  外装箱
４１  蓋
５０  底板
５１  係止孔
５２  装着孔
６０  本体取付け台
６１  突起部
６２  支持部
６３  開口部
６４  フランジ部
６５  突起部
６６  リブ
【図１】
0005571604.tif 000002
【図２】
0005571604.tif 000003
【図３】
0005571604.tif 000004